(57)【要約】【課題】収納物を容易に出し入れすることができるように横置き型の筒状本体の両端に設けた開口部と、開口部を閉鎖するための器機能を備えた閉鎖部と、閉鎖部の汚れを防止するための内蓋を有するトランク型組立式紙箱を提供することである。【解決手段】本考案に係るトランク型組立式紙箱は、筒状本体１１と、筒状本体１１の両端に開口部１２と、筒状本体１１の底面２１に直結し、開口部１２に嵌め込むように第一側壁６１、第二側壁６３、第三側壁６５を持つ閉鎖部１３と、筒状本体１１の上面４１に取り付けた取っ手１４を有する。【選択図】      図１
0003117863.tif 000002
【実用新案登録請求の範囲】
【請求項１】
両側に開口部をもつ横置き型の筒状本体と、
前記筒状本体の底面と直結し、開口部に嵌め込む側壁を持つ閉鎖部と、
前記筒状本体の上面に取り付けた取っ手を有し、
前記閉鎖部を開いた際に、前記側壁により、閉鎖部が器としての機能を有することを特徴とするトランク型組立式紙箱。
【請求項２】
前記開口部を閉鎖する際に、前記閉鎖部より内側に配置されるよう、前記筒状本体の上面に直結された内蓋を備えたことを特徴とする請求項１に記載のトランク型組立式紙箱。
【請求項３】
前記開口部を閉鎖する際に、前記筒状本体に閉鎖部固定用突起を設け、前期閉鎖部の前記側壁の一部に閉鎖部固定用突起挿入部を設けることで前記閉鎖部を前記筒状本体に着脱自在に固定できるようにしたことを特徴とする請求項１に記載のトランク型組立式紙箱。
【請求項４】
前記筒状本体の上面に前記取っ手を挿入するスリットと、
前記筒状本体の上面と側面の折り目に取っ手を固定するための切り込みを設け、
また、取っ手が筒状本体の上面とほぼ等しい大きさの取っ手基板上に取り付けられ、前記取っ手基板はその両側端部に突起を備えていて、取っ手を前記スリットに挿入すると、前記突起が前記切り込みに挿入固定される構造を有することを特徴とする請求項１に記載のトランク型組立式紙箱。
【考案の詳細な説明】
【技術分野】
【０００１】
本考案は、洋菓子、あるいは和菓子等を収納するトランク型組立式紙箱に関する。
【背景技術】
【０００２】
従来、組立式紙箱は、組み立てた際に、上面または側面の１面のみを開口部とするものが主流である（特開２００１−１５１２２５号公報、特許文献１参照）。また、開口部となる面と、その面に連なる１側面の２面を開口部とした例もある（特開２００４−３３８７９９号公報、特許文献２参照）。
【特許文献１】特開２００１−１５１２２５号
【特許文献２】特開２００４−３３８７９９号
【考案の開示】
【考案が解決しようとする課題】
【０００３】
従来の組立式紙箱は、開口部が１面か、あるいはそれに連なるもう１面を含めた２面であるため、単品の収納物の出し入れでは問題はないが、複数の収納物を出し入れする場合に、手前の収納物を動かさないと奥の収納物を動かしづらいといった問題がある。
【０００４】
また、菓子箱自体はあくまでも収納ケースとして用いられ、飲食の際に菓子箱をそのまま菓子類の器として用いられることはない。さらに、収納物が包装されていない場合、菓子箱を運ぶ際の振動などで、菓子箱内面が汚れてしまうこと等がある。
【０００５】
そこで、本考案では、収納物を容易に出し入れすることができるように横置き型の筒状本体の両端に設けた開口部と、開口部を閉鎖するための器機能を備えた閉鎖部と、閉鎖部の汚れを防止するための内蓋を有するトランク型組立式紙箱を提供することである。
【課題を解決するための手段】
【０００６】
上述した課題を解決するために、本考案では、両端に開口部をもつ横置き型の筒状本体と、前記筒状本体の底面と直結し、開口部に嵌め込む側壁を持つ閉鎖部と、前記筒状本体の上面に取り付けた取っ手を有し、前記閉鎖部を開いた際に、前記側壁により、閉鎖部が器としての機能を有することを特徴としている（請求項１）。また、前記開口部を閉鎖する際に、前記閉鎖部より内側に配置されるよう、前記筒状本体の上面に直結された内蓋を備えたことを特徴としている（請求項２）。さらに、前記開口部を閉鎖する際に、前記筒状本体に閉鎖部固定用突起を設け、前期閉鎖部の前記側壁の一部に閉鎖部固定用突起挿入部を設けることで前記閉鎖部を前記筒状本体に着脱自在に固定できるようにしたことを特徴としている（請求項３）。また、前記筒状本体の上面に取っ手を挿入するスリットと、筒状本体の上面と側面の折り目に取っ手を固定するための切り込みを設け、また取っ手が筒状本体の上面とほぼ等しい大きさの取っ手基板上に取り付けられ、前記取っ手基板はその両側端部に突起を備えていて、取っ手を上記スリットに挿入すると、前記突起が前記切り込みに挿入固定される構造を有することを特徴としている。（請求項４）。
【考案の効果】
【０００７】
横置き型の筒状本体の両端に開口部を設けたことで収納物を容易に出し入れすることができる。また、前記開口部を閉鎖する閉鎖部は、開口部に嵌め込む側壁を有し、前記側壁により収納物を引き出す際に器として利用することができる。さらに、閉鎖部の内側に内蓋を配置することで、閉鎖部の汚れを防止することができる。
【考案を実施するための最良の形態】
【０００８】
図１は、本考案に係るトランク型組立式紙箱の開口部を開口した立体図である。図示されたトランク型組立式紙箱は、筒状本体１１と、筒状本体１１の両端に開口部１２と、筒状本体１１の底面２１に直結し、開口部１２に嵌め込むように第一側壁６１、第二側壁６３、第三側壁６５を持つ閉鎖部１３と、筒状本体１１の上面４１に取り付けた取っ手１４を有する。
【０００９】
筒状本体１１は、横置き型に筒状をなし、長方形の底面２１と、底面２１に直結した第一側面３１と、第一側面３１に直結した上面４１と、上面４１に直結した第二側面５１と、筒状本体１１両端に上記開口部１２を有する。また、第二側面５１は上面４１に直結した辺の対称辺に側面のり代５２を有し、前記側面のり代５２により底面２１の端部に第二側面５１を連結することで筒状本体１１および開口部１２を形成する。
【００１０】
底面２１は、第一側面３１と直結し、側面のり代５２により第二側面５２と連結される。また、底面２１は、開口部１２に上記閉鎖部１３を有する。
【００１１】
第一側面３１および第二側面５１は、それぞれ開口部１２にフラップ３２を有する。また、第一側面３１および第二側面５１の側面上にはそれぞれ閉鎖部固定用スリット３３を有する。なお、上記閉鎖部固定用スリット３３は、なくても良い。
【００１２】
上面４１は、開口部１２に内蓋４２を有する。また、上面４１と内蓋４２とを直結した折り目に閉鎖部固定用突起４３を有する。さらに、上面４１の中央部に取っ手用スリット４４と、上面４１とそれぞれ第一側面３１および第二側面５１とを直結している折り目には、取っ手固定用切り込み４５を有する。
【００１３】
開口部１２は、筒状本体１１の底面２１、第一側面３１、上面４１、第二側面５１により囲まれ形成される筒状本体１１の両側の開口した端部であり、底面２１に直結した閉鎖部１３と、第一側面３１および第二側面５１に直結したフラップ３２と、上面４１に直結した内蓋４２を有する。開口部１２を閉鎖する際は、外側に向かってフラップ３２、内蓋４２、閉鎖部１３の順に重ねて閉鎖する。このような構造にすることで、筒状本体１１の両端部の開口部１２により収納物の出し入れが容易となる。また、閉鎖部１３の内側に配置されるよう、上面４１に直結した内蓋４２を設けることで、収納物による閉鎖部１３の汚れを防止する。
【００１４】
閉鎖部１３は、底面２１に直結し、開口部１２に嵌め込むよう、底面２１との直結した辺以外の三辺にそれぞれ第一側壁６１、第二側壁６３、第三側壁６５を有する。閉鎖部１３により開口部１２を閉鎖する際、第一側壁６１および第三側壁６５は、筒状本体１１側面上の閉鎖部固定用スリット３３に差込固定する。また、第二側壁６３は、上面４１の閉鎖部固定用突起４３にて固定する。また、閉鎖部１３は、底面２１と直結した辺以外の三辺にそれぞれ側壁を備えることで、収納物を取り出す際に、器として利用することができる。
【００１５】
取っ手１４は、取っ手基板７１に取り付けられる。また、取っ手基板７１は、両側端部に取っ手固定用突起７２を有する。取っ手１４は、筒状本体１１の上面４１に設けられた取っ手用スリット４４に、上面４１の内側から挿入する。その際に取っ手基板７１は、上面４１の取っ手固定用切り込み４５に取っ手固定用突起７２を嵌め込み、取っ手１４を固定する。なお、取っ手１４を取っ手用スリット４４に挿入した際に、取っ手１４が上下に可動性を持つ構造とする場合、取っ手固定用突起７２は不要である。
【００１６】
図２は、図１に示すトランク型組立式紙箱の開口部を閉鎖した立体図である。図示されたトランク型組立式紙箱は、筒状本体１１と、底面２１に直結し、第一側壁６１、第二側壁６３、第三側壁６５を持つ閉鎖部１３と、筒状本体１１の上面４１に取り付けた取っ手１４を有する。
【００１７】
筒状本体１１は、横置き型の筒状をなし、閉鎖部１３と、取っ手１４を有する。また、図１に示す開口部１２は、閉鎖部１３により閉鎖している。
【００１８】
閉鎖部１３は、底面２１に直結し、図１に示す開口部１２に嵌め込むように底面２１との直結した辺以外の三辺にそれぞれ第一側壁６１、第二側壁６３、第三側壁６５を有する。図１に示す開口部１２を閉鎖する際、第一側壁６１および第三側壁６５は、筒状本体側面の閉鎖部固定用スリット３３に差込固定する。また、第二側壁６３は、上面４１の閉鎖部固定用突起４３により固定する。
【００１９】
取っ手１４は、取っ手基板７１に取り付けられ、上面４１に設けられた取っ手用スリット４４に、上面４１の内側から挿入固定される。
【００２０】
図３は、図１に示すトランク型組立式紙箱の展開図である。図示されたトランク型組立式紙箱は、筒状本体１１と、取っ手１４を有する。筒状本体１１は、横置き型に筒状をなし、長方形の底面２１と、底面２１に直結した第一側面３１と、第一側面３１に直結した上面４１と、上面４１に直結した第二側面５１と、第二側面５１に直結した側面のり代５２を有する。
【００２１】
底面２１は、第一側面３１を直結し、またその両側の一対の辺にそれぞれ閉鎖部１３を直結する。
【００２２】
第一側面３１は、底面２１と直結し、対称辺に上面４１を直結する。また、その両側の一対の辺にそれぞれフラップ３２を有し、さらに第一側面３１上に閉鎖部固定用スリット３３を有する。
【００２３】
上面４１は、第一側面３１と直結し、対称辺に第二側面５１を直結する。また、その両側の一対の辺にそれぞれ内蓋４２と、上面４１と内蓋４２とを直結した辺に閉鎖部固定用突起４３を有する。さらに、上面４１の中央部に取っ手用スリット４４を有する。
【００２４】
第二側面５１は、上面４１と直結し、対称辺に側面のり代５２を有する。また、その両側の一対の辺にそれぞれフラップ３２を有し、さらに第二側面５１上に閉鎖部固定用スリット３３を有する。
【００２５】
筒状本体１１を組み立てる際には、底面２１と第一側面３１と上面４１と第二側面５１とがそれぞれ直結した辺にて折り曲げていき、底面２１と第二側面５１を側面のり代５２で連結し、横置き型の筒状本体１１および筒状単体１１両端部に開口部１２を形成する。
【００２６】
閉鎖部１３は、底面２１と直結し、底面２１と直結した辺以外の三辺にそれぞれ第一側壁６１、第二側壁６３、第三側壁６５を有する。第一側壁６１および第三側壁６５は、それぞれ側壁のり代６２を有する。また、第二側壁６３は、閉鎖部１３との直結した辺に側壁固定用切り込み６４を有し、閉鎖部１３と直結した辺の対称辺に折り返し面６６を有する。折り返し面６６は、側壁固定用突起６７と、閉鎖部固定用突起挿入部６８を有し、組み立てる際には、第一側壁６１および第三側壁６５の側壁のり代６２を覆うように折り返し面６６を折り返し、折り返し面６６の側壁固定用突起６７を第二側壁６３の側壁固定用切り込み６４に嵌め込むことで側壁同士を固定する。このような構造にすることで、収納物を取り出す際に、閉鎖部１３は器として利用することができる。
【００２７】
閉鎖部１３により開口部１２を閉鎖する際には、上面４１と内蓋４２とを直結した折り目の閉鎖部固定用突起４３を、第二側壁６３に直結した折り返し面６６の閉鎖部固定用突起挿入部６８に挿入し、第一側壁６１および第三側壁６５を第一側面３１および第二側面５１の閉鎖部固定用スリット３３に差込固定し、開口部１２を閉鎖する。
【００２８】
取っ手１４は、取っ手基板７１に取り付けられ、取っ手基板７１はその両側端部に取っ手固定用突起７２を有する。筒状本体１１に取っ手１４を取り付ける際は、取っ手１４を上面４１の取っ手用スリット４４に内側から挿入し、取っ手基板７１の取っ手固定用突起７２を、上面４１と第一側面３１および第二側面５１との直結している折り目に設けられた取っ手固定用切り込み４５に嵌め込むことで固定する。
【産業上の利用可能性】
【００２９】
本考案は、菓子箱としての利用を想定しているものであるが、収納物を菓子以外の他の食品にし、例えばランチボックス、ポーチ等としても利用することができる。
【図面の簡単な説明】
【００３０】
【図１】本考案に係るトランク型組立式紙箱の開口部を開口した立体図である。
【図２】図１に示すトランク型組立式紙箱の開口部を閉鎖した立体図である。
【図３】図１に示すトランク型組立式紙箱の展開図である。
【符号の説明】
【００３１】
１１  筒状本体
１２  開口部
１３  閉鎖部
１４  取っ手
２１  底面
３１  第一側面
３２  フラップ
３３  閉鎖部固定用スリット
４１  上面
４２  内蓋
４３  閉鎖部固定用突起
４４  取っ手用スリット
４５  取っ手固定用切り込み
５１  第二側面
５２  側面のり代
６１  第一側壁
６２  側壁のり代
６３  第二側壁
６４  側壁固定用切り込み
６５  第三側壁
６６  折り返し面
６７  側壁固定用突起
６８  閉鎖部固定用突起挿入部
７１  取っ手基板
７２  取っ手固定用突起
【図１】
0003117863.tif 000003
【図２】
0003117863.tif 000004
【図３】
0003117863.tif 000005